(57)【要約】【課題】電装品の放熱を容易にし、さらに送風機室から電装箱内への水滴の侵入を防止し、簡単な構成の空気調和機の室外ユニットを提供する。【解決手段】送風機３が収納された送風機室４と圧縮機室６とを仕切る仕切板１と、送風機室４および圧縮機室６に面し、電装品７が収納される電装箱８とを備え、仕切板１の上端は送風機室４側に折り曲げられて、切欠き部１ｂが設けられたフランジ部１ａを形成し、電装箱８は、電装品７によって暖められた空気Ａを送風機３側に排出するための通風孔８ｂが形成された凹部を有し、通風孔８ｂから排出された空気Ａが、切欠き部１ｂを通って送風機３側に排出されるように、凹部はフランジ部１ａと電装箱８とが接する箇所に形成され、送風機３の運転によって飛散する水滴のうち、切欠き部１ｂを通って凹部内に入った水滴が、凹部の壁面に衝突するように、切欠き部１ｂと通風孔８ｂとが形成されている。【選択図】  図１
2004360941.tif 000002
【特許請求の範囲】
【請求項１】
送風機が収納された送風機室と圧縮機が収納された圧縮機室とが水平方向に並んで設置されるように仕切る仕切板と、
前記送風機室および前記圧縮機室に面し、前記仕切板の上部と接して設置され、電装品が収納される電装箱とを備え、
前記仕切板の上端は、前記送風機室側に折り曲げられてフランジ部を形成し、当該フランジ部には、少なくとも一つの切欠き部が設けられていて、
前記電装箱は、前記電装品から発生した熱によって暖められた空気を前記送風機側に排出するための少なくとも一つの通風孔が設けられた、凹部を外周に有し、
前記通風孔から排出された空気が、前記切欠き部を通って前記送風機側に排出されるように、前記凹部は、前記フランジ部と前記電装箱とが接する箇所に設けられ、
前記送風機の運転によって飛散する水滴のうち、前記切欠き部を通って前記凹部内に入った水滴が、前記切欠き部に対向する前記凹部の壁面に衝突するように、前記切欠き部と前記通風孔とが設けられている空気調和機の室外ユニット。
【請求項２】
前記切欠き部と前記通風孔が設けられている位置は、対向していない、請求項１に記載の空気調和機の室外ユニット。
【請求項３】
前記少なくとも一つの切欠き部は、複数形成されている、請求項１または請求項２に記載の空気調和機の室外ユニット。
【請求項４】
前記少なくとも一つの通風孔は、複数形成されている、請求項１または請求項２に記載の空気調和機の室外ユニット。
【請求項５】
前記電装箱は、前記送風機の運転によって飛散して、前記切欠き部に向かう水滴を遮断するために、前記送風機と前記フランジ部との間に防水板を備えている、請求項１ないし請求項４のいずれかに記載の空気調和機の室外ユニット。
【請求項６】
前記防水板は、前記切欠き部へ向かう前記水滴を遮断するように、前記電装箱より外側に突出して形成されている、請求項５に記載の空気調和機の室外ユニット。
【請求項７】
前記防水板は、前記フランジ部の先端に近接した位置に設置されている、請求項６に記載の空気調和機の室外ユニット。
【発明の詳細な説明】
【０００１】
【発明の属する技術分野】
本発明は、分離型空気調和機の室外ユニットに関するものである。
【０００２】
【従来の技術】
分離型空気調和機は、室外ユニットと室内ユニットとによって構成されている。従来の空気調和機の室外ユニットには、発熱する電装品を内蔵している電装箱内を冷却するために、電装箱に開口部を有している構成のものがある（例えば、特許文献１参照）。例えば、送風機室側に開口部を有し、その開口部の下方にヒートシンクを設けている。また、送風機から飛散する水滴が電装箱内に入らないように、開口部およびヒートシンクの一部を覆う上部カバーと開口部下に防水板を設置している。このような、従来の空気調和機の室外ユニットについて、図面を用いて説明する。
【０００３】
図６は、従来の空気調和機の室外ユニット１００の平面図である。また、図７は、従来の空気調和機の室外ユニット１００の正面図である。
【０００４】
図６および図７に示しているように、室外ユニット１００は、送風機室１０４と圧縮機室１０６とを仕切る仕切板１０１と、電装箱１０８とを備えている。送風機室１０４には、送風機１０３と熱交換器１０２とが収納されている。圧縮機室１０６には、圧縮機１０５が収納されている。電装箱１０８は、送風機室１０４と圧縮機室１０６との両方に面するように、仕切板１０１の上部に設置されている。
【０００５】
電装箱１０８には、送風機室１０４に面した箇所に開口部１０９が設けられていて、開口部１０９の下方には、ヒートシンク１１０が設置されている。また、開口部１０９およびヒートシンク１１０の一部を覆う上部カバー１１１と開口部１０９の下方に、防水板１１２が設置されている。また、電装品１０７のうち、特に発熱量の多い部品１０７ａは、ヒートシンク１１０に直接取り付けられているが、それ以外の発熱量の少ない電装品１０７ｂは、電装箱１０８内の任意の位置に取り付けられている。また、電装箱１０８の圧縮機室１０６側には、吸込孔１１３が設けられている。
【０００６】
空気調和機が空調運転をすると、電装品１０７は発熱する。発熱量の多い部品１０７ａはヒートシンク１１０によって、放熱が促進されている。また、空気調和機の運転により、送風機１０３も運転される。送風機１０３が運転されることで、送風機室１０４内の気圧が下がる。それにより、空気Ｂが吸込孔１１３を通って、電装箱１０８に侵入し、さらに開口部１０９を通って送風機室１０４に排出される。そのため、電装箱１０８内の電装品１０７の発熱によって暖められた空気が、電装箱１０８の外に絶えず排出されている。それにより、電装品１０７の放熱が促進されている。
【０００７】
また、室外ユニット１００は、一般的には屋外に設置されている。そのため、送風機室１０４の内部に雨水等が入る可能性がある。送風機室１０４内に水が侵入すると、送風機１０３の運転により水滴が周りに飛散する。この飛散した水滴には、開口部１０９に向かう水滴もある。電装品１０７は、水がかかると故障する。そのため、電装箱１０８内に水滴が入ることを防ぐために、電装箱１０８には、開口部１０９を上部より覆う上部カバー１１１と、開口部１０９の下方に防水板１１２とが形成されている。したがって、送風機１０３の運転により、飛散した水滴は、電装箱１０８内に侵入することはできない。このように、電装品１０７は、加熱され過ぎることはなく、かつ、水がかかることもないので故障することがない。
【０００８】
【特許文献１】
特開２００３−５６８６５号公報
【０００９】
【発明が解決しようとする課題】
従来の空気調和機の室外ユニットの構成では、送風機１０３の運転により飛散した水滴等が電装箱１０８内に侵入することを防止するための、上部カバー１１１および防水板１１２を設置しなければならない。そのため、部品点数が増える上、組立が煩雑になるという問題を有していた。
【００１０】
本発明は、上記問題点に鑑みなされたもので、部品を追加することなく、簡単な構造で、電装品の放熱を容易にし、さらに送風機室から電装箱内への水滴の侵入を防止する空気調和機の室外ユニットを提供することを目的とする。
【００１１】
【課題を解決するための手段】
本発明の空気調和機の室外ユニットは、送風機が収納された送風機室と圧縮機が収納された圧縮機室とが水平方向に並んで設置されるように仕切る仕切板と、前記送風機室および前記圧縮機室に面し、前記仕切板の上部と接して設置され、電装品が収納される電装箱とを備え、前記仕切板の上端は、前記送風機室側に折り曲げられてフランジ部を形成し、当該フランジ部には、少なくとも一つの切欠き部が設けられていて、前記電装箱は、前記電装品から発生した熱によって暖められた空気を前記送風機側に排出するための少なくとも一つの通風孔が設けられた、凹部を外周に有し、前記通風孔から排出された空気が、前記切欠き部を通って前記送風機側に排出されるように、前記凹部は、前記フランジ部と前記電装箱とが接する箇所に設けられ、前記送風機の運転によって飛散する水滴のうち、前記切欠き部を通って前記凹部内に入った水滴が、前記凹部の壁面に衝突するように、前記切欠き部と前記通風孔とが設けられていることを特徴とする。
【００１２】
【発明の実施の形態】
本実施の形態の空気調和機の室外ユニットは、部品点数を増やすことなく、簡単な構成であって、電装品から発生した熱を送風機室へと放熱することができ、かつ、送風機の運転によって飛散する水滴が、電装品にかかることを防止できる。
【００１３】
また、好ましくは、前記切欠き部と前記通風孔が設けられている位置は、対向していない。それにより、送風機の運転によって飛散する水滴が、切欠き部より凹部に侵入しても、通風孔には侵入できない構成である。そのため、電装箱内に、水滴が侵入することがなく、電装品に水滴がかかることがない。
【００１４】
また、好ましくは、前記少なくとも一つの切欠き部は、複数形成されている。それにより、送風機側に排出される空気の量が増えるため、電装品の放熱を促すことができる。
【００１５】
また、前記少なくとも一つの通風孔は、複数形成されていてもよい。
【００１６】
また、好ましくは、前記電装箱は、前記送風機の運転によって飛散して、前記切欠き部に向かう水滴を遮断するために、前記送風機と前記フランジ部との間に防水板を備えている。それにより、切欠き部に侵入する水滴を減少させることができる。そのため、さらに、電装箱内に水滴が侵入する可能性が低くなる。
【００１７】
また、好ましくは、前記防水板は、前記切欠き部へ向かう前記水滴を遮断するように、前記電装箱より外側に突出して形成されている。それにより、さらに、切欠き部に侵入する水滴を減少させることができる。
【００１８】
また、好ましくは、前記防水板は、前記フランジ部の先端に近接した位置に設置されている。それにより、さらに、切欠き部に侵入する水滴を減少させることができる。
【００１９】
以下、本発明の実施形態のさらに具体的な例について図を用いて説明する。
【００２０】
（実施の形態１）
本発明の実施の形態１に係る空気調和機の室外ユニット１０について、図１〜図３を用いて説明する。図１は、実施の形態１に係る空気調和機の室外ユニット１０の平面図であり、図２はその正面図である。また、図３は実施の形態１に係る空気調和機の室外ユニット１０に設けられた電装箱近傍の断面斜視図である。
【００２１】
図１および図２に示しているように、実施の形態１に係る空気調和機の室外ユニット１０は、送風機室４と圧縮機室６とを仕切る仕切板１と、送風機室４および圧縮機室６に面した電装箱８とを備えている。
【００２２】
送風機室４には、送風機３および熱交換器２が収納されている。また、圧縮機室６には、圧縮機５が収納されている。仕切板１は、室外ユニット１０内を鉛直方向に仕切るように設置され、送風機室４と圧縮機室６とが水平方向に並んで設置される。電装箱８は、仕切板１の上に接して設置されている。電装箱８には、電装品７が収納されている。
【００２３】
仕切板１の上端は、送風機室１側に折り曲げられた、フランジ部１ａを形成している。特に、図３に示しているように、フランジ部１ａには少なくとも１つの切欠き部１ｂが形成されている。また、電装箱８の外周には、少なくとも１つの通風孔８ｂを有する凹部８ａが形成されている。凹部８ａは、仕切板１のフランジ部１ａと電装箱８とが接する箇所に形成されている。また、電装箱８の圧縮機室６側の側面には、吸込孔８ｃが形成されている。
【００２４】
凹部８ａから切欠き部１ｂを通って送風機室４へ、空気が流れるようになっている。また、電装箱８の内側から通風孔８ｂを通って凹部８ａへ、空気が流れるようになっている。また、送風機３から飛散した水滴が、切欠き部１ｂを通って凹部８ａ内に入っても、切欠き部１ｂと対向する凹部８ａの壁面に衝突するような位置に、切欠き部１ｂと通風孔８ｂとは形成されている。例えば、切欠き部１ｂと通風孔８ｂは、対向しないように形成されている。
【００２５】
空気調和機が空調運転を行なうと、送風機３が運転され、電装箱８の中に設けられた電装品７は発熱する。送風機３が運転されることで、送風機室４内の気圧が下がる。そのため、吸込孔８ｃを通って空気Ａが電装箱８内に侵入する。電装箱８内の空気Ａは、通風孔８ｂを通り、凹部８ａに排出され、その空気Ａがさらに、切欠き部１ｂを通って送風機室４に排出される。このように、電装品７の発熱により暖められた空気Ａは、送風機３の運転によって送風機室４へ排出される。これにより、電装品７の放熱が促される。
【００２６】
また、室外ユニット１０は、屋外に設置されるため雨等による水滴が、送風機３の運転によって、飛散することがある。送風機３の運転によって飛散した水滴は、直線的に移動する性質を有する。そのため、送風機３の運転によって飛散した水滴が、切欠き部１ｂを通って凹部８ａに侵入しても、切欠き部１ｂと対向する凹部８ａの壁面に衝突する。そのため、水滴が、電装箱８内部に侵入することはない。したがって、電装箱８の中に設けられた電装品７が、水滴により悪影響を及ぼされることを防止することができる。
【００２７】
このように、実施の形態１の空気調和機の室外ユニット１０は、電装品７の放熱が容易に行われ、送風機３の運転により飛散する水滴が、電装品７にかかることがない。その上、部品点数をふやすことなく、容易に構成することができる。
【００２８】
なお、切欠き部１ｂおよび通風孔８ｂは、切欠き部１ｂから侵入した水滴が、凹部８の壁面に衝突して、通風孔８ｂを通らない構成であれば、多ければ多いほど好ましい。それにより、電装箱８内の電装品７で暖められた空気が、より多く送風機室４に排出されることになり、電装品７の放熱をさらに促進することができる。
【００２９】
（実施の形態２）
本発明の実施の形態２に係る空気調和機の室外ユニット１０ａについて、図４および図５を用いて説明する。図４は、実施の形態２に係る空気調和機の室外ユニット１０ａの正面図であり、図５は実施の形態２に係る空気調和機の室外ユニット１０ａに設けられた電装箱８近傍の断面斜視図である。実施の形態２の室外ユニット１０ａは、実施の形態１の室外ユニット１０に、防水板８ｄを設けたものである。それ以外は、前述した実施の形態１の室外ユニット１０と同様の構成なので、図４および図５において、図１、図２および図３と同様の構成要素については同一符号を用い、説明を省略している。
【００３０】
図４に示しているように、前述した図２との違いは、防水板８ｄが設置されている点である。防水板８ｄは、電装箱８に備えられている。また、防水板８ｄは、送風機３の運転によって飛散して切欠き部１ｂに向かう水滴を遮断するために、送風機３とフランジ部１ａとの間に、形成されていることが好ましい。また、防水板８ｄは、切欠き部１ｂへ向かう水滴を遮断するように、電装箱８より外側に突出して形成されているのが好ましい。また、防水板８ｄは、フランジ部１ａの先端に近接した位置に設置されているのが好ましい。防水板８ｄを設けることにより、送風機３の運転によって飛散して切欠き部１ｂへ向かう水滴は、防水板８ｄによって遮断されるので、切欠き部１ｂに到達しにくくなる。そのため、水滴が電装箱８内部へ侵入することを確実に防止することができ、電装品７が水滴による影響を受けることはない。
【００３１】
【発明の効果】
本発明の空気調和機の室外ユニットは、電装品の放熱を容易にし、さらに送風機室で飛散した水滴の侵入を防いで電装品に悪影響を与えることを防止でき、その上、部品点数が少なく容易に構成されるという効果を奏する。
【図面の簡単な説明】
【図１】本発明の実施の形態１に係る空気調和機の室外ユニットの平面図
【図２】本発明の実施の形態１に係る空気調和機の室外ユニットの正面図
【図３】本発明の実施の形態１に係る空気調和機の室外ユニットに設けられた電装箱近傍の断面斜視図
【図４】本発明の実施の形態２に係る空気調和機の室外ユニットの正面図
【図５】本発明の実施の形態２に係る空気調和機の室外ユニットに設けられた電装箱近傍の断面斜視図
【図６】従来の空気調和機の室外ユニットの平面図
【図７】従来の空気調和機の室外ユニットの正面図
【符号の説明】
１        仕切板
１ａ      フランジ部
１ｂ      切欠き部
２        熱交換器
３        送風機
４        送風機室
５        圧縮機
６        圧縮機室
７        電装品
８        電装箱
８ａ      凹部
８ｂ      通風孔
８ｃ      吸込孔
８ｄ      防水板
９        ヒートシンク
１０      室外ユニット
Ａ        空気
１００    室外ユニット
１０１    仕切板
１０２    熱交換器
１０３    送風機
１０４    送風機室
１０５    圧縮機
１０６    圧縮機室
１０７    電装品
１０７ａ  発熱量の多い部品
１０７ｂ  発熱量の少ない部品
１０８    電装箱
１０９    開口部
１１０    ヒートシンク
１１１    上部カバー
１１２    防水板
１１３    吸込孔
【図１】
2004360941.tif 000003
【図２】
2004360941.tif 000004
【図３】
2004360941.tif 000005
【図４】
2004360941.tif 000006
【図５】
2004360941.tif 000007
【図６】
2004360941.tif 000008
【図７】
2004360941.tif 000009